(57)【特許請求の範囲】
【請求項１】
筐体上のスロットに、並列運転される複数の電源ユニットと該電源ユニットから電力を供給される論理ユニットが搭載された構成の電子装置であって、
筐体上に設けられ、上記電源ユニットに専用の専用スロットと、上記電源ユニットと上記論理ユニットに共用可能な共用型スロットとを含む複数のスロットと、
上記共用型スロットに対応し上記電源ユニットと上記論理ユニットに勘合可能なコネクタと、上記専用スロットに対応し上記電源ユニットに勘合可能なコネクタとを含み、上記電源ユニットと上記論理ユニットを接続するコネクタと、
上記コネクタと、該コネクタ間を接続する配線導体とが設けられた基板と、
上記電源ユニットに専用の専用スロットと上記共用型スロットとに接続され、該専用スロットと該共用型スロットに搭載されて並列運転される複数の電源ユニットの電流バランスをとる電流バランス線と、
を備え、
上記共用型スロットに搭載する電源ユニットの数または上記論理ユニットの数により、上記筐体内に設ける全電源ユニット数または全論理ユニット数を変えられる構成としたことを特徴とする電子装置。
【請求項２】
上記複数のスロットは、さらに、上記論理ユニットに専用のスロットを含み、
上記コネクタは、さらに、上記論理ユニットに専用のスロットに対応し該論理ユニットに勘合可能なコネクタを含む
構成である請求項１に記載の電子装置。
【請求項３】
請求項１の電子装置のスロットに搭載可能な構成としたことを特徴とする電源ユニット。
【請求項４】
請求項１の電子装置のスロットに搭載可能な構成としたことを特徴とする論理ユニット。
【発明の詳細な説明】
【技術分野】
【０００１】
本発明は、ブレードサーバ等の電子装置に係り、特に、電源ユニットと論理ユニットを搭載する構成に関する。
【背景技術】
【０００２】
従来の電子装置においては、１つの筐体上に複数の類似のユニットを搭載した構造のものがある。ブレード型サーバなどがその一例で、複数の論理ユニットや演算ユニット、複数のハードディスクユニットや、電源ユニットなどの複数のユニットが１つの筐体内に搭載されている。
本発明に関連した従来技術としては、ＩＢＭ  Ｊ．Ｒｅｓ． &  Ｄｅｖ．ｖｏｌ．４８Ｎｏ．３／４，Ｍａｙ／Ｊｕｌｙ  ２００４，  ＰＰ４００−４０５（非特許文献１）に記載の実装技術などがある。
上記非特許文献１に記載された技術を図３に示す。図３において、電子装置１には１２個のスロット１０が設けられ、４個の論理ユニット２と、８個の電源ユニット３を搭載可能な構成とされている。４個の論理ユニットの電源バス６Ａ、６Ｂはそれぞれ、論理ユニット毎に独立に設けられ、電源ユニット３からの電力が該当する論理ユニット２に供給するようになっている。電源ユニット#１と電源ユニット#２は、コネクタ５Ａを介して出力側が共通接続され、論理ユニット２に電力を供給するようになっているとともに、電流バランス線７で共通接続され、電流バランスをとって並列運転されるようになっている。
【０００３】
また、別の従来技術例を図４に示す。図４の電子装置１においては、電子装置１の中に、４個の電源ユニット３と、１４個の論理ユニット２と、４個のスイッチユニット８と、２個の管理ユニット９とを搭載可能になっている。電源バス６Ａ、６Ｂは、各論理ユニット２や、各スイッチユニット８や、各管理ユニット９に共通とされる。電源ユニット#１−#４は、電流バランス線７で共通接続され、電流バランスをとって並列運転されるようになっている。
【０００４】
【非特許文献１】ＩＢＭ  Ｊ．Ｒｅｓ． &  Ｄｅｖ．  ｖｏｌ．４８  Ｎｏ．３／４，  Ｍａｙ／Ｊｕｌｙ  ２００４，  ｐ．４００−４０５
【発明の開示】
【発明が解決しようとする課題】
【０００５】
上記従来の電子装置技術においては、電源ユニットが搭載されるスロットは電源ユニット専用のスロットであり、論理ユニットが搭載されるスロットは論理ユニット専用である。例えば、電源ユニットが並列運転を行うために必要な電流バランス線７は、電源ユニットが搭載されたスロットにだけ備えられていて、該スロットは電源専用になっている。論理ユニット２とスイッチユニット８との間、あるいは他のユニット相互間などについても、それぞれのユニットを専用化する構成とされている。特に、電源ユニットでは、出力電流が大きいことや、ＡＣ１００ＶやＡＣ２００Ｖ、ＤＣ４８Ｖなどの高い電圧を入力することなどの理由から、スロットは専用のものとされている。
このように、従来の電子装置においては、各スロットがそこに搭載されたユニットに専用のものとされている。特に、電源ユニットが搭載されたスロットには、他のユニット例えば論理ユニットを搭載することは不可能な設計となっている。
【０００６】
しかしながら、電子装置においては、状況によって電源ユニット数や論理ユニット数を変化させ柔軟に利用したい場合があるが、従来技術における専用構成のスロットでは不都合が生じる場合がある。例えば、消費電力の大きな論理ユニットを搭載したい場合には、電源ユニット数を多くしたユニット構成にしたいという場合がある。例えば、全スロット数が１２個の筐体において、消費電力が１０００Ｗの論理ユニットと、出力電力が１０００Ｗの電源ユニットをスロットに搭載したい場合には、両者を同数搭載し、論理ユニット数を６個、電源ユニット数を６個としたいとする要求が生じる。また、消費電力が小さい論理ユニットを搭載したい場合には、電源ユニット数を少なくし、論理ユニット数を多くするという要求が生じ、例えば、全スロット数が１２個の筐体において、消費電力が５００Ｗの論理ユニットと、出力電力が１０００Ｗの電源ユニットを搭載したい場合には、両者を２：１の割合の個数で搭載し、論理ユニット数を８個、電源ユニット数を４個としたいとする要求が生じる。
上記図３や図４に示す従来技術において、上記のような要求に応えようとすると、筐体を他の構成の筐体に交換する必要がある。また、既存の電子装置の構成を変更する場合にも、上記従来技術では、筐体の交換が不可欠となる。筐体を交換する場合は、複数の異なる構成の筐体を準備する必要があることや容易でない交換作業を伴うことなどの不都合がある上、場合によっては、不要となる筐体の廃棄処分も必要となる。
【０００７】
本発明の課題点は、上記従来技術の状況に鑑み、電子装置において、筐体を交換することなく、ニーズに応じて、スロットに搭載される電源ユニット数や論理ユニット数を容易に増減できるようにすることである。
本発明の目的は、かかる課題点を解決し、構成の柔軟性が広く使い勝手の良い電子装置を提供することにある。
【課題を解決するための手段】
【０００８】
上記課題点を解決するために、本発明では、筐体上のスロットに、並列運転される複数の電源ユニットと、該電源ユニットから電力を供給される論理ユニットとが搭載された電子装置として、筐体上に設けられた複数のスロットであって、電源ユニットに専用の専用スロットと、電源ユニットと論理ユニットに共用可能な共用型スロットとを含む複数のスロットと、共用型スロットに対応し電源ユニットと論理ユニットに勘合可能なコネクタを含み電源ユニットと論理ユニットを接続するコネクタと、電源ユニットに専用の専用スロットと共用型スロットとに接続され、該専用スロットと該共用型スロットに搭載されて並列運転される複数の電源ユニットの電流バランスをとる電流バランス線と、を備え、共用型スロットに搭載する電源ユニットの数または論理ユニットの数を変えることで筐体内の全電源ユニット数または全論理ユニット数を変えられる構成とする。
【発明の効果】
【０００９】
本発明によれば、構成の柔軟性が広く使い勝手の良い電子装置を提供することができる。
【発明を実施するための最良の形態】
【００１０】
以下、本発明の実施例につき、図面を用いて説明する。
図１Ａ及び図１Ｂは、本発明の第１の実施例としての電子装置の構成例図である。
本第１の実施例は、筐体上の複数のスロットのうち、一部のスロットを電源ユニットと論理ユニットに共用可能な共用型スロット構成とし、他のスロットを、電源ユニットに専用のスロット構成のものと論理スロットに専用のスロット構成のものとにした場合である。電源ユニットと論理ユニットとを接続するコネクタも、上記スロットに対応して、複数のコネクタのうち、一部のコネクタを電源ユニットと論理ユニットに共用可能な共用型コネクタ構成とし、他のコネクタを、電源ユニットに専用のコネクタ構成のものと論理スロットに専用のコネクタ構成のものとしている。
【００１１】
図１Ａ及び図１Ｂにおいて、１００は、本発明の第１の実施例としての電子装置、１０１は電子装置１００の筐体、１０２は、筐体１０１上に設けられた複数のスロット、１０４は、スロット１０２に搭載された電源ユニット、１０５は、同じくスロット１０２に搭載された論理ユニット、１０６は、筐体１０１上に設けられ、論理ユニットを制御するための管理ユニット、１０７は、筐体１０１上に設けられた基板としてのバックボード、１０８は、複数のスロット１０２に対応してバックボード１０７上に設けられた複数のコネクタ、１１０は、バックボード１０７上に設けられ、電源ユニット１０４の電流バランスをとるための電流バランス線、１１１は、同じくバックボード１０７上に設けられ、電源ユニット１０４に交流電力を入力するための交流入力線、１１２は、同じくバックボード１０７上に設けられ、管理ユニット１０６が、論理ユニットの立ち上げや動作終了の制御などを行うために論理ユニットに管理信号を送るための管理信号線、１１６Ａ、１１６Ｂは、電源ユニット１０４の電力を論理ユニット１０５に供給するための電源バスである。筐体１０１上には、１個の管理ユニット１０６と、１２個の略同形状・略同寸法のスロットＳＬ#１−ＳＬ#９、ＳＬ#Ａ−ＳＬ#Ｃが設けられている。コネクタ１０８も、これら１個の管理ユニット１０６と１２個のスロットＳＬ#１−ＳＬ#９、ＳＬ#Ａ−ＳＬ#Ｃに対応したものがバックボード１０７上に全部で１３個設けられている。１２個のスロットＳＬ#１−ＳＬ#９、ＳＬ#Ａ−ＳＬ#Ｃのうち、２個のスロットＳＬ#１−ＳＬ#２は電源ユニット１０４に専用のスロット、２個のスロットＳＬ#Ｂ−ＳＬ#Ｃは論理ユニット１０５に専用のスロット、他の８個のスロットＳＬ#３−ＳＬ#９、ＳＬ#Ａは電源ユニット１０４と論理ユニット１０５に共用可能な共用型スロットである。コネクタ１０８も、全１３個のうち、２個のスロットＳＬ#１−ＳＬ#２に対応するものは電源ユニット１０４に勘合可能なコネクタ、２個のスロットＳＬ#Ｂ−ＳＬ#Ｃに対応するものは論理ユニット１０５に勘合可能なコネクタ、他の８個のスロットＳＬ#３−ＳＬ#９、ＳＬ#Ａに対応するものは電源ユニット１０４と論理ユニット１０５に勘合可能なコネクタ、管理ユニット１０６に対応するものは該管理ユニット１０６に勘合可能なコネクタである。電流バランス線１１０と交流入力線１１１は、電源ユニット１０４に専用の２個のスロットＳＬ#１−ＳＬ#２と８個の共用型スロットＳＬ#３−ＳＬ#９、ＳＬ#Ａとに接続され、管理信号線１１２は、論理ユニット１０５に専用の２個のスロットＳＬ#Ｂ−ＳＬ#Ｃと８個の共用型スロットＳＬ#３−ＳＬ#９、ＳＬ#Ａとに接続される。
なお、交流入力線１１１は、ＡＣ１００ＶあるいはＡＣ２００Ｖの高電圧を入力するため、高電圧に耐え、かつ、人体などに対し安全性を確保可能な２重絶縁や強化絶縁などの十分な絶縁が施されている。
【００１２】
図１Ａは、共用型スロットＳＬ#３−ＳＬ#９、ＳＬ#Ａに、互いに同数の４個ずつの電源ユニット１０４と論理ユニット１０５を搭載し、電子装置１００全体としても、電源ユニット１０４を６個、論理ユニット１０５を６個の同数とした場合である。
図１Ａの構成において、共用型スロットＳＬ#３−ＳＬ#９、ＳＬ#Ａのうち、共用型スロットＳＬ#３−ＳＬ#６には全４個の電源ユニット１０４（Ｐ３−Ｐ６）を搭載し、他の共用型スロットＳＬ#７−ＳＬ#９、ＳＬ#Ａには全４個の論理ユニット１０５（Ｌ１−Ｌ４）を搭載している。
【００１３】
図１Ｂは、論理ユニット１０５の数を図１Ａの場合よりも２個増加させ、電子装置１００全体として、論理ユニット１０５を８個、電源ユニット１０４を４個とした場合である。
図１Ｂの構成において、共用型スロットＳＬ#３−ＳＬ#９、ＳＬ#Ａのうち、共用型スロットＳＬ#５−ＳＬ#９、ＳＬ#Ａには全６個の論理ユニット１０５（Ｌ１−Ｌ６）を搭載し、残りの共用型スロットＳＬ#３−ＳＬ#４に全２個の電源ユニット１０４（Ｐ３−Ｐ４）を搭載している。
【００１４】
上記本発明の第１の実施例によれば、電子装置１００において、筐体１０１を交換することなく、搭載される電源ユニット１０４の数や論理ユニット１０５の数を容易に増減することが可能となる。この結果、構成の柔軟性が広く使い勝手が良い電子装置を提供することができる。
【００１５】
図２Ａ〜図２Ｃは、本発明の第２の実施例としての電子装置の構成例図である。
本第２の実施例は、筐体上の複数のスロットのうち、一部のスロットを電源ユニットと論理ユニットに共用可能な共用型スロット構成とし、他のスロットを、電源ユニットに専用のスロット構成のものと論理スロットに専用のスロット構成のものとし、さらに、上記共用型スロットのうちの一部のものと電源ユニットに専用のスロットとをそれぞれ、スロット１個の寸法よりも大きな寸法の電源ユニットを搭載可能な構成とした場合である。電源ユニットと論理ユニットとを接続するコネクタも、上記スロットに対応して、複数のコネクタのうち、一部のコネクタを電源ユニットと論理ユニットに勘合可能な共用型コネクタ構成とし、他のコネクタを、電源ユニットに勘合可能なコネクタ構成のものあるいは論理スロットに勘合可能なコネクタ構成のものとし、さらに、上記共用型コネクタ構成のうちの一部のものと電源ユニットに勘合可能なコネクタとをそれぞれ、上記スロット１個の寸法よりも大きな寸法の電源ユニットを接続することができる構成としている。
【００１６】
図２Ａ、図２Ｂ及び図２Ｃにおいて、１００'は、本発明の第２の実施例としての電子装置、１０１は、電子装置１００'の筐体、１０２は、筐体１０１内に設けられた複数のスロット、１０４は、スロット１０２に搭載された電源ユニット、１０５は、同じくスロット１０２に搭載された論理ユニット、１０６は、筐体１０１内に設けられ、論理ユニットを制御するための管理ユニット、１０７は、筐体１０１内に設けられた基板としてのバックボード、１０８は、複数のスロット１０２に対応してバックボード１０７上に設けられた複数のコネクタ、１１０は、バックボード１０７上に設けられ、電源ユニット１０４の電流バランスをとるための電流バランス線、１１１'は、電源ユニット１０４に接続され該電源ユニット１０４に交流電力を入力するための交流入力線、１１２は、バックボード１０７上に設けられ、管理ユニット１０６が、論理ユニット１０５の立ち上げや動作終了の制御などを行うために論理ユニット１０５に管理信号を送るための管理信号線、１１６Ａ、１１６Ｂは、電源ユニット１０４の電力を論理ユニット１０５に供給するための電源バスである。
【００１７】
本第２の実施例の電子装置１００'も、筐体１０１内には、１個の管理ユニット１０６と、１２個の略同形状・略同寸法のスロットＳＬ#１−ＳＬ#９、ＳＬ#Ａ−ＳＬ#Ｃが設けられている。コネクタ１０８も、これら１個の管理ユニット１０６と１２個のスロットＳＬ#１−ＳＬ#９、ＳＬ#Ａ−ＳＬ#Ｃに対応したものがバックボード１０７上に設けられている。１２個のスロットＳＬ#１−ＳＬ#９、ＳＬ#Ａ−ＳＬ#Ｃのうち、２個のスロットＳＬ#１−ＳＬ#２は電源ユニット１０４に専用のスロット、２個のスロットＳＬ#Ｂ−ＳＬ#Ｃは論理ユニット１０５に専用のスロット、他の８個のスロットＳＬ#３−ＳＬ#９、ＳＬ#Ａは電源ユニット１０４と論理ユニット１０５に共用可能な共用型スロットである。８個の共用型スロットＳＬ#３−ＳＬ#９、ＳＬ#ＡのうちのスロットＳＬ#３−ＳＬ#６と電源ユニット１０４に専用のスロットＳＬ#１−ＳＬ#２とをそれぞれ、スロット１個の寸法よりも大きな寸法の電源ユニット、例えばスロット１個に対応する電源ユニット２個分の寸法を有する電源ユニット（以下、倍幅の電源ユニットという）を搭載可能な構成とする。
【００１８】
コネクタ１０８も、全１３個のうち、２個のスロットＳＬ#１−ＳＬ#２に対応するものは電源ユニット１０４に勘合可能なコネクタ構成、２個のスロットＳＬ#Ｂ−ＳＬ#Ｃに対応するものは論理ユニット１０５に勘合可能なコネクタ構成、他の８個のスロットＳＬ#３−ＳＬ#９、ＳＬ#Ａに対応するものは電源ユニット１０４と論理ユニット１０５に勘合可能なコネクタ構成、管理ユニット１０６に対応するものは該管理ユニット１０６に勘合可能なコネクタ構成である。共用型スロットのうちの一部のものすなわちスロットＳＬ#３、ＳＬ#５に対応するコネクタ構成と、電源ユニット１０４に専用のスロットすなわちスロットＳＬ#１に対応するコネクタ構成とはそれぞれ、スロット１個の寸法よりも大きな任意寸法の電源ユニット、例えば倍幅の電源ユニットも勘合可能である。
【００１９】
コネクタ構成は、例えば、電源ユニット１０４（倍幅の電源ユニットなど大きな寸法の電源ユニットも含む）を接続可能なコネクタと論理ユニット１０５を接続可能なコネクタとの両方を備えるものであってもよい、すなわちコネクタ群でもよい。電流バランス線１１０は、電源ユニット１０４に専用の２個のスロットＳＬ#１−ＳＬ#２と８個の共用型スロットＳＬ#３−ＳＬ#９、ＳＬ#Ａとに接続され、管理信号線１１２は、論理ユニット１０５に専用の２個のスロットＳＬ#Ｂ−ＳＬ#Ｃと８個の共用型スロットＳＬ#３−ＳＬ#９、ＳＬ#Ａとに接続される。交流入力線１１１'は、搭載される電源ユニット１０４に直接的に接続される。該交流入力線１１１'は、上記第１の実施例の場合と同様、高電圧に耐え、かつ、人体などに対し安全性を確保できる２重絶縁や強化絶縁などの十分な絶縁が施されている。
【００２０】
図２Ａは、８個の共用型スロットＳＬ#３−ＳＬ#９、ＳＬ#Ａに、２個の電源ユニット１０４と６個の論理ユニット１０５を搭載し、電子装置１００全体として、電源ユニット１０４を４個、論理ユニット１０５を８個搭載した場合である。
図２Ａの構成において、共用型スロットＳＬ#３−ＳＬ#９、ＳＬ#Ａのうち、共用型スロットＳＬ#３、ＳＬ#４には２個の電源ユニット１０４（Ｐ３、Ｐ４）を搭載し、他の共用型スロットＳＬ#５−ＳＬ#９、ＳＬ#Ａには６個の論理ユニット１０５（Ｌ１−Ｌ６）を搭載している。
【００２１】
図２Ｂは、論理ユニット１０５の数を図２Ａの場合よりも２個減らし、電子装置１００'全体として、論理ユニット１０５を６個と倍幅の電源ユニット１０４'を３個とした場合であり、容量の大きな倍幅の電源ユニット１０４'を３個用いて６個の論理ユニット１０５を作動させる構成である。
図２Ｂの構成において、共用型スロットＳＬ#３−ＳＬ#９、ＳＬ#Ａのうち、４個の共用型スロットＳＬ#７−ＳＬ#９、ＳＬ#Ａには４個の論理ユニット１０５（Ｌ３−Ｌ６）を搭載し、残りの４個の共用型スロットＳＬ#３−ＳＬ#６に２個の倍幅の電源ユニット１０４'（Ｐ２'、Ｐ３'）を搭載している。４個の共用型スロットＳＬ#３−ＳＬ#６においては、共用型スロットＳＬ#３−ＳＬ#４に１個の倍幅の電源ユニット１０４'（Ｐ２'）を搭載し、共用型スロットＳＬ#５−ＳＬ#６に１個の倍幅の電源ユニット１０４'（Ｐ３'）を搭載する。電源ユニットに専用のスロットＳＬ#１−ＳＬ#２にも１個の倍幅の電源ユニット１０４'（Ｐ１'）を搭載し、また、論理ユニット１０５に専用のスロットＳＬ#Ｂ、ＳＬ#Ｃにも２個の論理ユニット１０５を搭載する。スロットＳＬ#１−ＳＬ#２に搭載された１個の倍幅の電源ユニット１０４'（Ｐ１'）は、スロットＳＬ#１に対応するコネクタに接続され、スロットＳＬ#３−ＳＬ#４に搭載された１個の倍幅の電源ユニット１０４'（Ｐ２'）は、スロットＳＬ#３に対応するコネクタに接続され、スロットＳＬ#５−ＳＬ#６に搭載された１個の倍幅の電源ユニット１０４'（Ｐ３'）は、スロットＳＬ#５に対応するコネクタに接続される。
【００２２】
図２Ｃは、共用型スロットＳＬ#３−ＳＬ#９、ＳＬ#Ａ内において、論理ユニット１０５の数を図２Ａの場合よりも２個減らし、反対に、電源ユニット１０４の数を図２Ａの場合よりも２個増やし、電子装置１００'全体として、論理ユニット１０５を６個と電源ユニット１０４を６個の同数とした場合である。６個の電源ユニット１０４にはいずれも、それぞれに直接的に接続されている交流入力線１１１'により交流電力が入力される。
図２Ｃの構成において、共用型スロットＳＬ#３−ＳＬ#９、ＳＬ#Ａのうち、共用型スロットＳＬ#７−ＳＬ#９、ＳＬ#Ａには４個の論理ユニット１０５（Ｌ１−Ｌ４）を搭載し、残りの共用型スロットＳＬ#３−ＳＬ#６には４個の電源ユニット１０４（Ｐ３−Ｐ６）を搭載している。電源ユニットに専用のスロットＳＬ#１、ＳＬ#２にも２個の電源ユニット１０４（Ｐ１、Ｐ２）を搭載し、また、論理ユニット１０５に専用のスロットＳＬ#Ｂ、ＳＬ#Ｃにも２個の論理ユニット１０５を搭載する。
【００２３】
上記図２Ａ、図２Ｂ及び図２Ｃの構成から明らかなように、電源ユニットに専用のスロットＳＬ#１−ＳＬ#２は、２個の電源ユニット１０４（Ｐ１、Ｐ２）または１個の倍幅の電源ユニット１０４'（Ｐ１'）を搭載可能な構成、共用型スロットＳＬ#３は、論理ユニット１０５または電源ユニット１０４（Ｐ３）または倍幅の電源ユニット１０４'（Ｐ２'）を搭載可能な構成、共用型スロットＳＬ#４は、論理ユニット１０５または電源ユニット１０４（Ｐ４）または倍幅の電源ユニット１０４'（Ｐ２'）を搭載可能な構成、共用型スロットＳＬ#５は、論理ユニット１０５または電源ユニット１０４（Ｐ５）または倍幅の電源ユニット１０４'（Ｐ３'）を搭載可能な構成、共用型スロットＳＬ#６は、論理ユニット１０５または電源ユニット１０４（Ｐ６）または倍幅の電源ユニット１０４'（Ｐ３'）を搭載可能な構成、スロットＳＬ#１に対応するコネクタは、スロットＳＬ#１に搭載された電源ユニット１０４（Ｐ１）またはスロットＳＬ#１−ＳＬ#２に搭載された倍幅の電源ユニット１０４'（Ｐ１'）を勘合可能な構成、スロットＳＬ#３に対応するコネクタは、スロットＳＬ#３に搭載された論理ユニット１０５または電源ユニット１０４（Ｐ３）またはスロットＳＬ#３−ＳＬ#４に搭載された倍幅の電源ユニット１０４'（Ｐ２'）を勘合可能な構成、スロットＳＬ#５に対応するコネクタは、スロットＳＬ#５に搭載された論理ユニット１０５または電源ユニット１０４（Ｐ５）またはスロットＳＬ#５−ＳＬ#６に搭載された倍幅の電源ユニット１０４'（Ｐ２'）を勘合可能な構成を備える。
【００２４】
上記本発明の第２の実施例によっても、電子装置１００'において、筐体１０１を交換することなく、搭載される電源ユニット１０４の数や論理ユニット１０５の数を容易に増減することが可能となる。特に、本第２の実施例によれば、電源ユニットを容量の大きいものに替えることができる。この結果、構成の柔軟性が広く使い勝手が良い電子装置を提供することができる。
【図面の簡単な説明】
【００２５】
【図１Ａ】本発明の第１の実施例の電子装置の構成例図である。
【図１Ｂ】図１Ａの電子装置において論理ユニット数を増やした場合の構成例図である。
【図２Ａ】本発明の第２の実施例の電子装置の構成例図である。
【図２Ｂ】図２Ａの電子装置において電源ユニットの容量を増大させた場合の構成例図である。
【図２Ｃ】図２Ａの電子装置において電源ユニット数を増やした場合の構成例図である。
【図３】従来の電子装置の構成例図である。
【図４】従来の他の電子装置の構成例図である。
【符号の説明】
【００２６】
１００、１００'…電子装置、
１０１…筐体、
１０２…スロット、
１０４、１０４'…電源ユニット、
１０５…論理ユニット、
１０６…管理ユニット、
１０７…バックボード、
１０８…コネクタ、
１１０…電流バランス線、
１１１、１１１'…交流入力線、
１１２…管理信号線、
１１６Ａ、１１６Ｂ…電源バス。
【図１Ａ】
0004718338.tif 000002
【図１Ｂ】
0004718338.tif 000003
【図２Ａ】
0004718338.tif 000004
【図２Ｂ】
0004718338.tif 000005
【図２Ｃ】
0004718338.tif 000006
【図３】
0004718338.tif 000007
【図４】
0004718338.tif 000008